(57)【要約】【課題】ストラップやバンドの交換が容易で、サンダルの寿命を長くでき、さらにデザインを好みにより選択できる。【解決手段】サンダル台１１と一体に左右両側に立設された内壁部１３および外壁部１４と、内壁部１３および外壁部１４に前後方向に所定間隔をあけて形成された複数対のストラップ取付孔１６Ａ〜１６Ｆと、最後部ストラップ取付孔１６Ｆ，１６Ｆ間にわたって、着脱可能な止め具２０により取り付けられた前後の足首ストラップ２１，２２と、残りのストラップ取付孔１６Ａ〜１６Ｅ間にわたって、着脱可能な止め具２０により取り付けられた甲皮ストラップ２３および甲皮バンド２４とを具備したものである。【選択図】図５
2012200464.tif 000002
【特許請求の範囲】
【請求項１】
サンダル台の左右両側に、サンダル台と一体に立設された内壁部および外壁部と、
前記内壁部および前記外壁部に前後方向に所定間隔をあけて形成された複数対のストラップ取付孔と、
前記内壁部と前記外壁部の後部のストラップ取付孔にわたって、着脱可能な止め具により取り付けられ、足首の前部および後部にそれぞれ係止される前後の足首ストラップと、
前部の一対または複数対の前記ストラップ取付孔間に、着脱可能な止め具により取り付けられた甲皮ストラップおよび甲皮バンドの少なくとも一方とを具備した
ことを特徴とするサンダル。
【請求項２】
サンダル台の前端部に、足指を覆う足指カバー壁部がサンダル台と一体に形成された
ことを特徴とする請求項１記載のサンダル。
【発明の詳細な説明】
【技術分野】
【０００１】
本発明はサンダルに関するものである。
【背景技術】
【０００２】
従来のサンダルは、たとえば特許文献１や特許文献２に示されるように、サンダル台に固定のストラップや甲バンドが取り付けられたものである。
【先行技術文献】
【特許文献】
【０００３】
【特許文献１】特開２００９−８２６１９号公報
【特許文献２】特開２００９−２１９８９３号公報
【発明の概要】
【発明が解決しようとする課題】
【０００４】
しかしながら、このようなサンダルは、サンダル台に損傷が無いのに、ストラップや甲バンドに亀裂が入ったり、破断することで使用できなくなり、寿命が短いという問題があった。
【０００５】
本発明は上記問題点を解決して、ストラップや甲バンドの交換が容易で、サンダルの寿命を長くでき、またこれらの交換によりデザインを、好みにより選択することができるサンダルを提供することを目的とする。
【課題を解決するための手段】
【０００６】
請求項１記載の発明は、サンダル台の左右両側に、サンダル台と一体に立設された内壁部および外壁部と、
前記内壁部および前記外壁部に前後方向に所定間隔をあけて形成された複数対のストラップ取付孔と、
前記内壁部と前記外壁部の後部のストラップ取付孔にわたって、着脱可能な止め具により取り付けられ、足首の前部および後部にそれぞれ係止される前後の足首ストラップと、
前部の一対または複数対の前記ストラップ取付孔間に、着脱可能な止め具により取り付けられた甲皮ストラップおよび甲皮バンドの少なくとも一方とを具備したものである。
【０００７】
請求項２記載の発明は、請求項１記載の構成において、
サンダル台の前端部に、足指を覆う足指カバー壁部がサンダル台と一体に形成されたものである。
【発明の効果】
【０００８】
請求項１記載の発明によれば、サンダル台の左右両側に一体に立設された内壁部および外壁部に、複数対のストラップ取付孔を形成し、これらストラップ取付孔に、着脱自在な止め具により、前後の足首ストラップや甲皮ストラップ、甲皮バンドを取り付けたので、損傷しやすいストラップやバンドを容易に交換することができ、サンダルの長寿命化をはかることができる。また止め具を使用して、使用用途に応じた色彩や形状を選択して、使用者の好みの足首ストラップや甲皮ストラップ、甲皮バンドをサンダル台に取り付けることができ、サンダルのデザインの多様性を拡大することができる。
【図面の簡単な説明】
【０００９】
【図１】本発明に係るサンダルの実施例１を示し、基本形態を示す斜視図である。
【図２】（ａ）および（ｂ）は足首ストラップの取付部を示し、（ａ）は横断面図、（ｂ）は（ａ）に示すａ部拡大図である。
【図３】サンダルの組立例１を示す斜視図である。
【図４】サンダルの組立例２を示す斜視図である。
【図５】サンダルの組立例３を示す斜視図である。
【図６】本発明に係るサンダルの実施例２を示し、基本形態を示す斜視図である。
【図７】サンダルの組立例１を示す斜視図である。
【発明を実施するための形態】
【００１０】
［実施例１］
以下、本発明に係るサンダルの実施例１を図１〜図５に基づいて説明する。
このサンダルは、軽量で軟質のたとえばＥＶＡ樹脂（エチレン酢酸ビニル共重合体）を主体とする樹脂により成形されたもので、サンダル台１１の外周部に、先端部に立設されて足爪を覆う足爪カバー壁部１２と、内側辺に立設された内壁部１３と、外側辺に立設された外壁部１４と、後端部に立設されて踵部を囲う踵壁部１５とが一体に成形されている。そして内外壁部１３，１４には、前後方向に所定間隔をあけて複数対、図では６対のストラップ取付孔１６Ａ〜１６Ｆが形成されている。
【００１１】
最後部の一対のストラップ取付孔１６Ｆ間には、足首の前部に係止される前足首ストラップ２１と、足首の後部に係止される後足首ストラップ２２とが止め具２０により取り付けられる。これら止め具２０は、たとえばスナップピンなどが使用され、図２（ｂ）に示すように、ストラップ取付孔１６Ａ〜１６Ｆより大径に形成された鍔部から係合ピン２０ｂが突出された硬質な材質からなるピン座具２０ａと、係合ピン２０ｂが嵌合可能な係合孔２０ｄを有し幾分軟質な材質からなるピン受け具２０ｃとで構成されているが、図示した構造に限るものではなく、同様の作用効果があればよい。
【００１２】
足の甲側の残りのストラップ取付孔１６Ａ〜１６Ｅには、予め用意された多種類の色彩や形状（幅、長さ、形）に形成されるとともに、両端部に単数または複数の取付孔が形成されたストラップから、好みで選択して止め具２０により着脱可能に取り付けることができる。ここでは、図３〜図５に示すように、一般的な狭幅帯形の甲皮ストラップ２３と、広幅の甲皮ベルト２４のみを図示している。甲皮ストラップ２３は幅方向だけでなく、図４に示すように、斜めにクロス状に掛け渡すこともできる。なお、使用しないストラップ取付孔１６Ａ〜１６Ｅは、通気孔としての機能を奏することができる。
【００１３】
止め具２０による組立に際して、ピン座具２０ａの係合ピン２０ｂを内外壁部１３，１４の内面からストラップ取付孔１６Ｆに挿入し、さらに前後足首ストラップ２１，２２や甲皮ストラップ２３、甲皮ベルト２４の両端部に形成された孔部を係合ピン２０ｂに嵌合させた後、係合ピン２０ｂをピン受け具２０ｃの係合孔２０ｄに嵌合して装着する。離脱させる時には、ピン受け具２０ｃの軟質な性質を利用してピン金具２０ａからピン受け具２０ｃを外してもよいし、ピン受け具２０ｃの内面から工具を差し込んで係合ピン２０ｂの鍔部を縮径させピン受け具２０ｃを外すこともできる。なお、ピン受け具２０ｃの外面に装飾が施されていてもよい。
【００１４】
上記実施例によれば、サンダル台１１の左右両側に一体に立設された内壁部１３および外壁部１４に、複数対のストラップ取付孔１６Ａ〜１６Ｆを形成し、これらストラップ取付孔１６Ａ〜１６Ｆに、着脱自在な止め具２０により、前後足首ストラップ２１，２２や甲皮ストラップ２３、甲皮ベルト２４を取り付けたので、各ストラップ２１〜２３や甲皮ベルト２４が汚れや損傷が生じたり、破断した場合には、止め具２０を新しいものに交換することができ、長期間にわたって使用することができる。
【００１５】
また止め具２０を使用して、季節や好み、使用用途にあわせて色々な形状および色彩を選択して使用者の好みの前後足首ストラップ２１，２２や甲皮ストラップ２３、甲皮ベルト２４をサンダル台１１に容易に取り付けることができ、サンダルのデザインの多様性を拡大することができる。
【００１６】
［実施例２］
以下、本発明に係るサンダルの実施例２を図６および図７に基づいて説明する。なお、実施例１と同一部材には同一符号を付して説明を省略する。
【００１７】
このサンダル台３１は、足爪カバー壁部を無くして、足先部分の通気性を改善したもので、他は同様に構成されており、実施例１と同様の作用効果を奏することができる。
【符号の説明】
【００１８】
１１    サンダル台
１２    足爪カバー壁部
１３    内壁部
１４    外壁部
１５    踵壁部
１６Ａ〜１６Ｆ  ストラップ取付孔
２０    止め具
２１    前足首ストラップ
２２    後足首ストラップ
２３    甲皮ストラップ
２４    甲皮ベルト
３１    サンダル台
【図１】
2012200464.tif 000003
【図２】
2012200464.tif 000004
【図３】
2012200464.tif 000005
【図４】
2012200464.tif 000006
【図５】
2012200464.tif 000007
【図６】
2012200464.tif 000008
【図７】
2012200464.tif 000009